(57)【要約】  本発明は、人生の必需品分野に関し、特に人生での仲間あるいは人との係わり合いを探し出す際において、特に知人、とりわけ反対の性の知人を作る方法に関する。本方法は、ユーザーの個人の特徴をトランシーバーのメモリーに保存し、知人になりたいと望みかつそれぞれがトランシーバーを所有するユーザー同士の間で情報を交換することを予定している。知人作りの開始者が知人作りの対象者を決めた場合に、知人作りの開始者はそのトランシーバーからシグナルを知人作りの対象者に送信する。知人作りの対象者は、知人作りの開始者の個人的特徴に関する情報を含む無線シグナルを受信し、これらの特徴を分析する。この情報が知人作りの対象者の要件に一致する場合には、知人作りの対象者は合意を示す応答シグナルを送信し、それによって知人作りの開始者は知人となるため知人作りの対象者に接近する。本技術的成果は、知人作りの選択性を高めるという点にある。【特許請求の範囲】
【請求項１】
選択して知人を作る目的をもってコミュニケーションをする方法であって、該方法は知人になりたいという個人が所有する表示手段を含む携帯トランシーバーから無線信号を送受信することを含み、トランシーバーを所有する人の個人的な特徴についての情報を予め各トランシーバーのメモリーに入力しておき、トランシーバーを所有する個人に視覚的に特徴のあるマーカーを与え、知人作りの開始者が知人作りの対象者を視覚で確認し、その他人にマーカーがあるかないかを決定し、もし知人作りの対象者がマーカーを付けている場合には、知人作りの開始者は彼／彼女の個人的な特徴についての情報を含む無線シグナルを送信し、そして知人作りの対象者は該シグナルを受信し、知人作りの開始者の個人的な特徴についての情報を検討し、もしこの情報が知人作りの対象者の要件にマッチする場合には、知人作りの対象者はコミュニケーションすることに同意を表明する応答シグナルを送信し、それによって知人作りの目的でコミュニケーションを行うため、知人作りの開始者は知人作り対象者に接近する、選択して知人を作る目的をもってコミュニケーションをする方法。
【請求項２】
知人作りの対象者は知人作りに同意を表明するシグナルを送信する前に眼で知人作りの開始者を特定することができることを特徴とする、請求項１に記載する方法。
【発明の詳細な説明】
【技術分野】
【０００１】
本発明は、人生の必需品分野に関し、特に人生での仲間あるいは人のつながりを探し出す際において、特に知人、とりわけ反対の性の知人を作る方法に関する。
【背景技術】
【０００２】
新聞又はインターネットでの広告によって、及びこの領域のスペシャリスト（マッチングメーカー）あるいはデートサービスの助けをかりて、人と知人になる方法は良く知られている。
【０００３】
世論では、上記のような方法の短所は、このように知人となることは人為的な性質や特に否定的な感情トーンがあるという非常に強固に確立されたイメージがあり、経済的な利益も含め、多少の計算が存在する可能性があるというのも事実である。新聞やインターネットの広告、及びデートサービスで記入された質問票は、知人作りの開始者及び所望する知人作りの対象者の身体的及びパーソナルな特徴に関する特性をほぼ正確に反映したりするだけでなく、通常専門的、社会的及び家族の地位、福利、住居状況等に関する情報あるいは好みも包含している。  さらに、このような知人の作り方の場合、事故によるあるいは故意的な漏洩はあり得るので、無記名で広告を発表したり、あるいはデートサービスで無記名の質問票に記入したとしても、完全な機密性は保障されていない。
【０００４】
選択して知人を作るのに良く知られた自然な方法は、例えば、娯楽施設で、街路で、公共輸送手段等で、知人作りの開始者が知人作りの対象者に直接話しかけたり、知人になりたいという希望を直接あるいは間接的に伝えるときに行われる。この方法が有する選択性は最大であるが、この比較的広範な方法の深刻な欠点は、特に路上や他の何らかの公共の場所で、多くの人に見られる状態で、「偶発的」に知人になるという倫理的に欠けるというイメージがあるとともに、個人の羞恥心やその他の個人の心理的な特殊性にもある。
【０００５】
選択して知人を作る目的でコミュニケーションをとる別の既知の方法には、パーソナルトランシーバと中央制御装置を用いるものがあり、ローカル制御装置によって該トランシーバー間を無線でコミュニケーションを可能としている。知人作りを希望する個人についての情報は、書面での申請の形で中央制御装置に、あるいはローカル制御装置から電話によって中央制御装置に、あるいは中央制御装置のコンピューターに直接入力される。データには、知人を作るための基準についてのパラメータ、例えば、種族的出身、宗教、教育、収入、年齢、身長、体重、習慣、関心事、ライフスタイル、趣味及び知人になる可能性のある対象者の有する好ましい特徴が含まれる。特許文献１（米国特許第5,086,394号A）参照。
【０００６】
上記装置によって接触を行った後、電話をかけたり、あるいは個人的に会うことを開始したり、あるいはボイスメッセージを残すこと等が可能となる。
【０００７】
この方法の欠点は、多くの電話コールによってローカル制御ステーションには常に負荷がかかり、中央制御ステーションからローカル制御ステーションに大量の情報データの移送を取り扱う必要があることである。さらに、目で確認せずに、この方法の参加者によって与えられた情報のみに基づいて知人作りを開始することである。人は、意図的に年齢を低くしたり、あるいは気付かずに主観的に自分の外見を過剰評価したりで、自己について不正確な情報を提供する場合がしばしばある。
【０００８】
選択して知人を作る目的でコミュニケーションをするための他の既知の方法には、知人を作りたいと希望する個人が所有する表示手段を備えた携帯レシーバーから無線信号を送受信するものがあるが、この場合トランシーバーを所有する人の個人的な特徴についての情報は各トランシーバーのメモリーに予め入力されている。特許文献２（ロシア特許第2164055C2（RU 2164055С2））参照。この方法を行う際に、個人の個々の特徴はチェックされるが、個人の個々の特徴は知人を作りたいと希望する個人によって独自に特定されたものであり、これらの個々の特徴は対応する人の特徴及び一連の参照特徴からなり、この人の特徴を別の人によって決められた一連の参照特徴と照合し、かつ他の人の特徴をこの人によって決められた一連の参照特徴と照合することも含み、もし個々の人のそれぞれの特徴が相互にマッチすれば選択して知人になる。
【０００９】
知人を作りたいと望む各個人が所有しているポータブル装置によって、選択して知人を作りたいという個人のそれぞれの特徴を相互にチェックするが、該ポータブル装置は、狭い空間で両者のコミュニケーションを維持して装置を有する人を特定するのが困難になるのを防止することにより、電磁波によって周囲のメディアを介して他の装置との間で、個人のそれぞれの特徴についての情報を遠隔操作で交換するのに使用され、その際には全ての装置の所有者は個人のそれぞれの特徴についての情報及び識別特徴を含む参照情報を装置のメモリーに予め入力し、もし個人のそれぞれの特徴が相互にマッチした場合には、装置は相互にアラート信号を発生し、表示手段（装置のディスプレイパネル）を用いて装置の所有者に認識される参照情報を示し、それによってそれら個人は互いに特定し、選択して知人になる。
【００１０】
この方法は、本発明の技術的課題のプロトタイプとして考えられた。
【００１１】
上述の類似の方法と同様に、本方法の欠点は、知人作りの対象者は、彼／彼女の視的印象に基づいて意識のある状態で知人作りの開始者によって選択されるのではなく、予め装置メモリーに保存され多数の特徴を反映する情報を機械的に処理しマッチングを行う装置によって選択されているという事実にある。プロトタイプの方法において「一目で」、第１回目の感覚的印象及び直接コミュニケーションをする前に生命のない装置によりやり取りをし選択を行うので、非常に大量の形式的特徴であっても個人の直接経験、「感情のほとばしり」、ましてロシアで「一目ぼれ」イタリアとフランスでは「落雷」と呼ばれる現象に置き換わることはできない。
【００１２】
その結果、全て形式的な特徴が当事者の要件とマッチしたとしても、当該当事者はフェース・ツー・フェースで会って互いに好きでない可能性があり、その結果互いに逃れることが困難で両当事者には不愉快な無様な状況となる。過度の期待を持つための失望による影響に留意をすることも価値のあることで、このようなことは間接的に知り会った場合には実際常に存在する。人々は将来知人となる対象者のイメージを描きがちであり、また通常積極的にあるいは消極的にロマンチックに捉えるものであるが、このような想像による人物像は視覚で確認して見る実際のイメージとは合わない可能性があるのは自然なことである。
【００１３】
実際のイメージが客観的に見て想像していた人物像より悪くない場合でも、このように合わなかった場合には「この人は私が期待していた人ではない」というある種の心理的なフラストレーションを生み出す。別の重要な問題は、知人作りの対象者は彼／彼女は当該個人ではなく装置によって選ばれたので、知り合ったのは彼／彼女のパーソナルな魅力によるものではなく、装置のメモリーに保存されている当事者の形式的な特徴がマッチしたということによるという事実を知っていたということである。従って、プロトタイプの方法の欠点は、また、或る人がこのひとのパーソナルな魅力を発見し、彼／彼女がその人がユニークで特別なので知人となる選択を行ったということを知るという感情及び心理的な満足度に欠けるということにある。それぞれの特質のいくつかについては、恐らく一連の特徴として形式化することもできず、視覚で確認して評価されるものであるからである。
【００１４】
プロトタイプの方法の他の欠点は、装置が当事者の形式的な特徴がマッチすると決定した後、パーソナルに視覚で確認を行う前に、装置のディスプレイパネルに示される該当参照情報を用いて、電話、インターネット等でさらに遠隔的にコミュニケーションを行うということにある。このことは、このコミュニケーション方法を複雑にし、かつ妨害となる。
【先行技術文献】
【特許文献】
【００１５】
特許文献１  米国特許第5,086,394号A）
特許文献２  ロシア特許第2164055C2（RU 2164055 С2
【発明の概要】
【発明が解決しようとする課題】
【００１６】
本発明の目的は、選択性、自然らしさ及び有効性を増し、かつまた知人を作る目的をもってコミュニケーションをする方法を簡易なものとできることである。
【課題を解決するための手段】
【００１７】
本発明は選択して知人を作る目的をもってコミュニケーションをする方法を提供するものであり、該方法は知人になりたいという個人が所有する表示手段を含む携帯トランシーバーから無線信号を送受信することを含み、トランシーバーを所有する人の個人的な特徴についての情報を予め各トランシーバーのメモリーに入力しておき、トランシーバーを所有する個人に視覚的に特徴のあるマーカーを与え、知人作りの開始者が知人作りの対象者を視覚で確認し、その他人にマーカーがあるかないかを決定し、もし知人作りの対象者がマーカーを付けている場合には、知人作りの開始者は彼／彼女の個人的な特徴についての情報を含む無線シグナルを送信し、そして知人作りの対象者は該シグナルを受信し、知人作りの開始者の個人的な特徴についての情報を検討し、もしこの情報が知人作りの対象者の要件にマッチする場合には、知人作りの対象者はコミュニケーションすることに同意を表明する応答シグナルを送信し、それによって知人作りの目的でコミュニケーションを行うため、知人作りの開始者は知人作り対象者に接近する、選択して知人を作る目的をもってコミュニケーションをする方法である。また、知人作りの対象者は知り合うことの同意を示すシグナルを送信する前に、知人作りの開始者を視覚で確認することができる。
【００１８】
出願人は本発明と同一の技術課題についてのデータを含む情報源を一つも発見しなかったので、従って、「新規性」（Ｎ）の基準に適合すると結論付けることができる。
【発明の効果】
【００１９】
本発明の特徴を実施することによって、新たな性質を有する本発明のコミュニケーション方法を提供する。
まず第一に、知人作りの開始者は前もって知人作りの対象者を見て視覚で評価することができ、かつ知人作りの対象者はコミュニケーションするのに同意するシグナルを送信する前に同じこと行うことができるので、コミュニケーションするかどうかの選択性を自然に直接知り合うレベルまで実質的に高めることができる。
【発明を実施するための形態】
【００２０】
本発明の方法を実施する場合には、知人作りの対象者はプロトタイプの方法に共通な否定的感情を持つことから回避される。このような否定的感情は、彼／彼女が形式的な特徴に基づき装置によって選択されたのであって他方の個人によって選択されたのではないということを知ることによって引き起こされる。一方、本発明の方法を実施する場合は、知人の対象者は他の個人が対象者の特徴を好んでいると知ると嬉しく思うかもしれない。また、知人作りの開始者は知り合うことの同意シグナルを受信すると、積極的な感情を持つかもしれない。このような状況は、本発明のコミュニケーション方法を実施している間に人間関係が有する自然な感覚をかなりの程度に確実なものとし、たとえ応答シグナルが送信されず、知人作りされなくても、一方あるいは両者が視覚でコンタクトして失望した時に、プロトタイプの方法を実施する場合に生ずる可能性のある気まずい状況はないであろう。
【００２１】
本発明の方法では、知人作りの開始者のみならずもう一方の当事者も、言葉による接触をしないで互いに予め見て視覚的に評価をすることができる。さらに、本コミュニケーション方法の全ての参加者は、対応する特定の視覚的に際立ったマーカーを購入して明示することによってあらかじめコミュニケーションを行う用意があることを示すので、本方法では、このような知人作りの対象者が知人作りにまさに気が進まなければ、偶発的に知人作りの際に生じる可能性のある多くの否定的な倫理的かつ心理的側面を排除する。
【００２２】
出願人は、本発明によって生み出される技術的成果について本発明の特徴が与える影響に関するデータを含むいずれの情報源も発見していない。本発明の上記新規な特徴によって本発明は「進歩性」（ＩＳ）の基準に適合すると結論づけることができると考える。
【００２３】
本発明を、図面は参照せずに、その複数の実施例を詳細に記載することによってさらに説明をする。
【００２４】
本発明は、以下の通り実施される。知人を作る目的でコミュニケーションをすることを希望する個人は、無認可無線周波数領域で稼働し、かつ低出力の携帯用無線シグナルレシーバーを該個人のプロバイダーから購入する。無線送信機は、ディスプレイ形状の表示手段及び音声信号源を有する。さらに、個人はかれらのプロバイダーから視覚上目立ちかつ明瞭に見えるマーカー、例えば、なんらかの特定の衣服のアイテム、頭に付けるもの、バッジ等を購入し、本グループの個人からなる参加者が例えば５０ｍまでの特定の距離からそれらのマーカーを見ることができるようにマーカーをつける。グループの参加者のみが,これらのマーカーの意味について知らされている。特定のグループの個人の内の無線シグナルトランシーバは同一周波数で作動するが、実質上家庭の電子装置のリモートコントローラ及び該リモートコントローラから来るシグナルのレシーバーからなる複合装置と類似したものとなる。トランシーバーはメモリーエレメントを有し、そこではトランシーバーを所有する個人の個々の特徴についての情報が予め入力されている。片方あるいは両方から視覚で確認を行うことができるので、本方法は人の外観を定義する多数の特徴を切捨てることができ、知人を作る目的でコミュニケーションをするのに必要な最低限の幾つかの主要な特徴のみ、例えば性別や年齢を用いることができる。
【００２５】
知人作りの開始者は予定している知人作りの対象者を眼で見つけて、その人に該当する目立ったマーカーがあるか無いかを決める。もしマーカーがあれば、知人作りの開始者は彼／彼女の個人の特徴、本例では性別及び年齢についての情報を含む無線シグナルを送信する。知人作りの対象者はこのシグナルを受信し、例えば液晶ディスプレイ等の表示手段のディスプレイ上に示された知人作りの開始者の個人の特徴についての情報を分析する。この情報が知人作りの対象者の条件にマッチする場合には、該対象者は直ちに応答のシグナルを送信してコミュニケーションをすることに同意を表明することもできるし、あるいは該シグナルを送信する前に周りを見回して眼で知人作りの開始者を特定して彼／彼女の外観を見定めることができる。
【００２６】
知人作りの対象者から応答シグナルを受信した後、知人作りの開始者は視覚で選択した知人作りの対象者に近づき、彼／彼女とやり取りをすることができる。知人作りの対象者が知人作りの開始者を眼で特定してコミュニケーションを行うのを同意した場合は、彼／彼女も知人作りの開始者に近づくこともできる。知人作りの対象者が目立つマーカーを付けた個人を幾人か見つけた場合には、例えばその人はいま装置を持っているかどうかかれらの振る舞い、かれらの顔の表情等を見て、彼／彼女はそれらの人のどの一人が知人作りを開始する信号を送信したのかを決めるように試みることができる。近くの二人あるいはそれ以上のひとが信号を送信していて特定されるという確率は非常に小さいが、このようなばあいにもそれらの人の一人と会話をすることは可能である。このため、知人作りの対象者はシグナルを送信したより魅力的な人に近づいて、応答シグナルを送信しあるいは直接送信者に話しかけてコミュニケーションすることの同意を示すこともできる。
【００２７】
本発明の方法は、両者が視覚で見て互いに好むという後にのみ、あるいは知人作りの対象者が知人作りの開始者にとって魅力的であると思われかつ該対象者がコミュニケーションをすることに同意を示すシグナルを送信した場合に、直接コミュニケーションを開始するので、より効果的でありかつ期待できるものである。
【００２８】
本発明の方法は記録を保存し、かつ外見上及び体形計測データからなる多数の特徴を公式化する必要性を無くすので、プロトタイプの方法に比べて非常に簡便である。さらに、全ての特徴がマッチングすることは現実的に不可能なので、本発明は多数の特徴がある場合に必要となるような特徴をランク付けする作業を不必要とする。本発明の方法を行うプロバイダーの役割は装置を販売しその技術的サポートを行うことだけに軽減することができ、一方プロトタイプの方法を実施する場合には、多数の特徴及びそれらの相対的な重要度を考慮し、かつマッチングの度合いを決定するために比較解析するための非常に複雑なコンピュータプログラムを構築する必要性は避けられない。
【産業上の利用可能性】
【００２９】
本方法は、既知のエレメントベース及び装置を用いて製造されるより非常に簡単な装置によって実施することができる。このことにより、本発明は「産業上利用可能性」（ＩＡ）の基準に適合していると結論付けることができると考える。
【国際調査報告】
2014505424.tif 000002
2014505424.tif 000003